(57)【要約】【課題】既存のＣＡＤシステムを利用して簡単且つ確実に特注品種の生産に関する指示を担当部門に与える。【解決手段】ＣＡＤシステムを利用して標準品種の図面に特注仕様に対応した変更を行って特注品種の図面を作成する。特注品種の図面作成時にＣＡＤシステムが残した変更の操作履歴を変更履歴データとして記憶装置に記憶する。記憶装置に記憶した変更履歴データに基づいて特注品種の図面から標準品種の図面と異なる変更点並びに変更内容を特注品種の生産指示情報として抽出し、抽出した特注生産指示情報を各担当部門に提示する。【選択図】        図１
2005309989.tif 000002
【特許請求の範囲】
【請求項１】
生産者側で予め用意する標準品種に対して顧客の注文に応じて標準品種の一部の仕様を変更した特注品種を生産する際に、特注品種における特注仕様を生産に関わる１乃至複数の担当部門に対して指示する特注生産指示方法であって、ＣＡＤシステムを利用して標準品種の図面に特注仕様に対応した変更を行って当該特注品種の図面を作成し、特注品種の図面作成時にＣＡＤシステムが残した変更の操作履歴を変更履歴データとして記憶装置に記憶させ、コンピュータを利用して記憶装置に記憶されている変更履歴データを読み出すとともに読み出した変更履歴データに基づいて特注品種の図面から標準品種の図面と異なる変更点並びに変更内容を特注品種の生産指示情報として抽出し、抽出した生産指示情報を前記担当部門に提示することを特徴とする特注生産指示方法。
【請求項２】
前記変更履歴データは、部品の交換、部品の追加、文字列の追加、色の変更、部品変更可否の問い合わせの要否、同一部品の変更数、変更理由を含むことを特徴とする請求項１記載の特注生産指示方法。
【請求項３】
前記生産指示情報として標準品種への部品の追加、並びに標準品種からの部品の交換を含むことを特徴とする請求項２記載の特注生産指示方法。
【請求項４】
前記生産指示情報として標準品種からの変更に伴って同時に追加又は変更が必要な部品の情報を含むことを特徴とする請求項１記載の特注生産指示方法。
【請求項５】
前記生産指示情報に含まれる変更点並びに変更内容を部品の組み立てに適した順序に並べることを特徴とする請求項１記載の特注生産指示方法。
【請求項６】
複数の前記生産指示情報を各特注品種の納期順に並べて各担当部門に提示することを特徴とする請求項１記載の特注生産指示方法。
【請求項７】
前記生産指示情報には当該特注品種図面のファイル名を含み、当該ファイル名に部品の変更内容を示すコードと特注品種であることを示すコードを付与することを特徴とする請求項１記載の特注生産指示方法。
【請求項８】
前記生産指示情報に含まれる標準品種からの変更点に基づいて当該特注品種の図面を再構成することを特徴とする請求項１記載の特注生産指示方法。
【請求項９】
前記生産指示情報に基づき、標準品種から変更された部品だけの変更部品リストと、変更されていない部品を含めた全ての部品の全部品リストとを作成することを特徴とする請求項１記載の特注生産指示方法。
【請求項１０】
複数の前記生産指示情報から特注品種への変更内容を集計することを特徴とする請求項１記載の特注生産指示方法。
【請求項１１】
生産者側で予め用意する標準品種に対して顧客の注文に応じて標準品種の一部の仕様を変更した特注品種を生産する際に、特注品種における特注仕様を生産に関わる１乃至複数の担当部門に対して指示する特注生産指示システムであって、ＣＡＤシステムを搭載したコンピュータと、当該ＣＡＤシステムを利用して標準品種の図面に特注仕様に対応した変更を行って当該特注品種の図面を作成する時にＣＡＤシステムが残した変更の操作履歴を変更履歴データとして記憶する記憶装置と、記憶装置に記憶されている変更履歴データを読み出すとともに読み出した変更履歴データに基づいて特注品種の図面から標準品種の図面と異なる変更点並びに変更内容を特注品種の生産指示情報として抽出する生産指示情報抽出装置と、抽出した生産指示情報を前記担当部門に提示する提示装置とを備えたことを特徴とする特注生産指示システム。
【請求項１２】
請求項１の特注生産指示方法の各過程をコンピュータで実現するためのプログラム。
【発明の詳細な説明】
【技術分野】
【０００１】
本発明は、生産者側で予め用意する標準品種ではなく顧客の注文に応じて仕様を変更した特注品種を生産する際に生産者側の各部門に対して特注品種の仕様変更内容等を指示する特注生産指示方法、そのシステム及びプログラムに関するものである。
【背景技術】
【０００２】
一般の工業製品（以下、製品と略す）においては、生産者が顧客のニーズを予測して幾つかの種類（標準品種）を設定し、これらの標準品種を生産して販売することが多いが、顧客の注文に応じて一部の仕様を変更した特注品種が生産される製品もある。例えば、日本工業規格（ＪＩＳ  Ｃ８３２８）に規定されている住宅用分電盤（以下、住宅盤という）は造営材に施設されるキャビネットや、キャビネットの内部に組み付けられる主開閉器、分岐開閉器、漏電遮断器など（以下、内部機器という）の複数の部品で構成されるが、キャビネット及び内部機器には仕様が異なる多くの種類が存在し、これら全ての組み合わせの一部が標準品種に設定されるとともに各標準品種にそれぞれ固有の品番が割り当てられ、生産者（住宅盤の製造業者）側の設計部門や製造部門、購買部門等では各品番で標準品種を特定し、個々の標準品種毎に設計部門が予めＣＡＤシステムを用いて作成した図面データに基づき、購買部門が標準品種の部品購入を行い、製造部門がその標準品種の製造を行っている。
【０００３】
そして、顧客から特注品種の発注を受け取った場合、設計部門が標準品種の図面データに特注品種の仕様に応じた変更を加えて特注品種の図面データを作成し、購買部門や製造部門などにおいては、担当者が特注品種の図面データを標準品種の図面データと比較することで相違点を抽出し、抽出した相違点に基づいて特注品種用の部品リストや製造作業手順書を作成して部品の手配や作業指示を行っていた。あるいは、担当者が抽出した相違点に基づいて部品リストや製造作業手順書を作成する代わりに、標準品種の図面データに対して変更された部分のデータが入力可能な専用のＣＡＤシステムに入力し、当該ＣＡＤシステムから印刷出力される特注品種の部品リストや変更箇所を表示した図面を購買部門や製造部門に配付することで部品手配や作業指示を行っていた（例えば、特許文献１参照）。
【特許文献１】特開２００２−１７５４４４号公報
【発明の開示】
【発明が解決しようとする課題】
【０００４】
しかしながら、上述のような方法で特注品種の生産を各部門に指示する場合、何れかの部門で標準品種の図面と特注品種の図面を比較して両者の相違点を捜し出すという手間がかかり、相違点の見落としによる部品の手配漏れや製造ミスを引き起こす虞があった。あるいは、標準品種の図面データに対して変更された部分のデータが入力可能な専用のＣＡＤシステムを用いるとすると特注品種の製造コストが上昇するという問題があった。
【０００５】
本発明は上記事情に鑑みて為されたものであり、その目的は、既存のＣＡＤシステムを利用して簡単且つ確実に特注品種の生産に関する指示を担当部門に与えることが可能な特注生産指示方法、そのシステム及びプログラムを提供することにある。
【課題を解決するための手段】
【０００６】
請求項１の発明は、上記目的を達成するために、生産者側で予め用意する標準品種に対して顧客の注文に応じて標準品種の一部の仕様を変更した特注品種を生産する際に、特注品種における特注仕様を生産に関わる１乃至複数の担当部門に対して指示する特注生産指示方法であって、ＣＡＤシステムを利用して標準品種の図面に特注仕様に対応した変更を行って当該特注品種の図面を作成し、特注品種の図面作成時にＣＡＤシステムが残した変更の操作履歴を変更履歴データとして記憶装置に記憶させ、コンピュータを利用して記憶装置に記憶されている変更履歴データを読み出すとともに読み出した変更履歴データに基づいて特注品種の図面から標準品種の図面と異なる変更点並びに変更内容を特注品種の生産指示情報として抽出し、抽出した生産指示情報を前記担当部門に提示することを特徴とする。
【０００７】
この発明によれば、汎用のＣＡＤシステムを用いて特注品種の図面を作成する際に残された操作履歴（変更履歴データ）に基づいて特注品種の図面から標準品種の図面と異なる変更点並びに変更内容を特注品種の生産指示情報として抽出し、抽出した生産指示情報を前記担当部門に提示するため、既存のＣＡＤシステムを利用して簡単且つ確実に特注品種の生産に関する指示を担当部門に与えることが可能である。
【０００８】
請求項２の発明は、請求項１の発明において、前記変更履歴データは、部品の交換、部品の追加、文字列の追加、色の変更、部品変更可否の問い合わせの要否、同一部品の変更数、変更理由を含むことを特徴とする。
【０００９】
この発明によれば、変更履歴データに基づく生産指示情報の抽出が簡単に行える。
【００１０】
請求項３の発明は、請求項２の発明において、前記生産指示情報として標準品種への部品の追加、並びに標準品種からの部品の交換を含むことを特徴とする。
【００１１】
この発明によれば、特注品種における部品の追加及び交換が容易に把握できる。
【００１２】
請求項４の発明は、請求項１の発明において、前記生産指示情報として標準品種からの変更に伴って同時に追加又は変更が必要な部品の情報を含むことを特徴とする。
【００１３】
この発明によれば、特注品種における変更部品の抜けや忘れが防止できる。
【００１４】
請求項５の発明は、請求項１の発明において、前記生産指示情報に含まれる変更点並びに変更内容を部品の組み立てに適した順序に並べることを特徴とする。
【００１５】
この発明によれば、特注品種の生産における作業手順の設計に生産指示情報が利用できて設計作業の効率化と短縮化が図れる。
【００１６】
請求項６の発明は、請求項１の発明において、複数の前記生産指示情報を各特注品種の納期順に並べて各担当部門に提示することを特徴とする。
【００１７】
この発明によれば、特注品種の生産における生産計画の立案に生産指示情報が利用できて立案作業の効率化と短縮化が図れる。
【００１８】
請求項７の発明は、請求項１の発明において、前記生産指示情報には当該特注品種図面のファイル名を含み、当該ファイル名に部品の変更内容を示すコードと特注品種であることを示すコードを付与することを特徴とする。
【００１９】
この発明によれば、特注品種の図面のファイル名から当該特注品種における変更内容の概略が把握できて生産作業でのミスが低減できる。
【００２０】
請求項８の発明は、請求項１の発明において、前記生産指示情報に含まれる標準品種からの変更点に基づいて当該特注品種の図面を再構成することを特徴とする。
【００２１】
この発明によれば、各担当部門で特注品種の図面をすぐに入手することができ、生産準備が早くできるとともに作業ミスも低減できる。
【００２２】
請求項９の発明は、請求項１の発明において、前記生産指示情報に基づき、標準品種から変更された部品だけの変更部品リストと、変更されていない部品を含めた全ての部品の全部品リストとを作成することを特徴とする。
【００２３】
この発明によれば、各担当部門毎に必要な情報を理解しやすい形式で提示することができる。
【００２４】
請求項１０の発明は、請求項１の発明において、複数の前記生産指示情報から特注品種への変更内容を集計することを特徴とする。
【００２５】
この発明によれば、集計結果に基づいて特注品種への変更の傾向を把握することができ、注文の頻度が多い特注品種を標準品種に設定することで納期の短縮等により顧客満足度が向上する。
【００２６】
請求項１１の発明は、上記目的を達成するために、生産者側で予め用意する標準品種に対して顧客の注文に応じて標準品種の一部の仕様を変更した特注品種を生産する際に、特注品種における特注仕様を生産に関わる１乃至複数の担当部門に対して指示する特注生産指示システムであって、ＣＡＤシステムを搭載したコンピュータと、当該ＣＡＤシステムを利用して標準品種の図面に特注仕様に対応した変更を行って当該特注品種の図面を作成する時にＣＡＤシステムが残した変更の操作履歴を変更履歴データとして記憶する記憶装置と、記憶装置に記憶されている変更履歴データを読み出すとともに読み出した変更履歴データに基づいて特注品種の図面から標準品種の図面と異なる変更点並びに変更内容を特注品種の生産指示情報として抽出する生産指示情報抽出装置と、抽出した生産指示情報を前記担当部門に提示する提示装置とを備えたことを特徴とする。
【００２７】
この発明によれば、汎用のＣＡＤシステムを用いて特注品種の図面を作成する際に残された操作履歴（変更履歴データ）に基づいて特注品種の図面から標準品種の図面と異なる変更点並びに変更内容を特注品種の生産指示情報として抽出し、抽出した生産指示情報を前記担当部門に提示するため、既存のＣＡＤシステムを利用して簡単且つ確実に特注品種の生産に関する指示を担当部門に与えることが可能な特注生産指示システムが提供できる。
【００２８】
請求項１２のプログラムの発明は、請求項１の特注生産指示方法の各過程をコンピュータで実現するためのものである。
【発明の効果】
【００２９】
本発明によれば、汎用のＣＡＤシステムを用いて特注品種の図面を作成する際に残された操作履歴（変更履歴データ）に基づいて特注品種の図面から標準品種の図面と異なる変更点並びに変更内容を特注品種の生産指示情報として抽出し、抽出した生産指示情報を前記担当部門に提示するため、既存のＣＡＤシステムを利用して簡単且つ確実に特注品種の生産に関する指示を担当部門に与えることが可能な特注生産指示方法、そのシステム及びプログラムが提供できるという効果がある。
【発明を実施するための最良の形態】
【００３０】
以下、住宅盤を生産品とした実施形態について図面を参照しつつ詳細に説明する。但し、本発明が対象とする生産品は住宅盤に限定されるものではなく、顧客の注文に応じて特注品種が生産される可能性の有る全ての工業製品が対象となり得るものである。
【００３１】
住宅盤は、造営材に施設されるキャビネットと、キャビネットの内部に組み付けられる主開閉器（主幹ブレーカ）と、複数の分岐開閉器（分岐ブレーカ）とを備えている。キャビネットは、ボックス、カバー、前面板、ドアなどで外郭が構成されているが、カバーやドアの有無、施設方式（露出形、埋込形又は露出埋込共用形）、電流制限器（リミッタ）の設置場所（リミッタスペース）の有無、取付可能な分岐ブレーカの数などの仕様の違いによって多数の種類が存在する。また、主幹ブレーカや分岐ブレーカも、定格電流や定格電圧、あるいは単相３線中性線欠相保護機能の有無などの仕様の違いによって多数の種類が存在する。したがって、キャビネットと主幹ブレーカ並びに分岐ブレーカとを組み合わせた住宅盤には非常に多くの種類が存在することになるが、全ての組み合わせが実際に使用されるとは限らないので、住宅盤を製造する製造業者（生産者）は比較的によく使用される組み合わせのものを標準品種に設定してカタログなどに記載するとともにある程度の需要を見込んで在庫している。そして、標準品種に設定しなかった組み合わせについては、顧客からの注文に応じて図面作成、部品手配、組立などを行って生産する特注品種としている。
【００３２】
例えば、リミッタスペースを有するキャビネットと、１台の主幹ブレーカ及び１０台の分岐ブレーカとで構成される住宅盤が標準品種に設定されており、顧客の注文により主幹ブレーカの種類を変更するとともに４台の分岐ブレーカ３を追加する必要が生じた場合、変更後の組み合わせが標準品種に設定されていないもの、すなわち、特注品種のものであれば、設計部門で変更内容に応じた図面（以下、特注品種図面という）を作成し、作成した特注品種図面を購買部門や組立部門に回して交換や追加が必要な部品の手配、並びに組立作業手順書の準備などが行われる。このとき、従来は各部門の担当者が特注品種図面を標準品種図面と比較することで相違点を抽出し、抽出した相違点に基づいて担当者が特注品種用の部品リストや製造作業手順書を作成するか、あるいは、担当者が抽出した相違点を専用のＣＡＤシステムに入力し、当該ＣＡＤシステムから印刷出力される特注品種の部品リストや変更箇所を表示した図面を購買部門や製造部門に配付することで部品手配や作業指示を行っていた。
【００３３】
これに対して本実施形態では、図１に示すように汎用のＣＡＤシステムを利用して標準品種図面に特注仕様に対応した変更を行って特注品種図面を作成し、特注品種図面の作成時にＣＡＤシステムが残した変更の操作履歴を変更履歴データとして記憶装置に記憶させ、コンピュータを利用して記憶装置に記憶されている変更履歴データを読み出すとともに読み出した変更履歴データに基づいて特注品種図面から標準品種図面と異なる変更点並びに変更内容を特注品種の生産指示情報として抽出し、抽出した生産指示情報を購買部門や組立部門などの担当部門に提示することを特徴としている。例えば、図１に示した特注品種図面Ａは、最も外側の長方形がキャビネット１を表し、その内側に描かれている矩形がそれぞれ主幹ブレーカ２、分岐ブレーカ３1〜３14、リミッタスペース４を表し、これらをつなぐように描かれている線分が各々メイン配線５、分岐配線６、渡り配線７を表している。但し、分岐ブレーカ３1〜３14を表す図形の内側に記された番号１〜１４は、各々の分岐回路に付された番号を表している。
【００３４】
そして、顧客の注文に応じて標準品種図面における主幹ブレーカ２を標準品種Ｍ１から特注品種Ｍ２に交換するとともに、４台の分岐ブレーカ３11〜３14として特注品種Ｂ２を追加する操作がＣＡＤシステムで行われて特注品種図面Ａが作成された際、ＣＡＤシステム自体が操作履歴を記憶し、変更履歴データＬＧのファイルとしてハードディスク装置などに保存しているので、この変更履歴データＬＧに基づいて特注品種図面Ａから標準品種図面と異なる変更点並びに変更内容を特注品種の生産指示情報Ｘとして抽出することができ、この特注生産指示情報Ｘを後述するように各部門に設置されているコンピュータのディスプレイ装置に表示したり、紙に印刷したり、あるいは電子メールを送ることによって各部門の担当者に提示するのである。
【００３５】
本実施形態の特注生産指示方法を実施するためのシステムは、図２に示すように汎用のパーソナルコンピュータシステム、すなわち、ＣＰＵやメモリを搭載したマザーボード、ハードディスク装置、光学式ドライブ装置、ＮＩＣ（ネットワークインタフェースカード）などをケースに収納したコンピュータ本体１０と、ＣＲＴあるいは液晶のディスプレイ装置１１と、キーボードやマウスなどの入力装置（図示せず）とを備えるハードウェア、並びにこれらのハードウェアを利用して本発明の特注生産指示方法を実現するソフトウェア（コンピュータプログラム）で構成される。なお、本発明に係る特注生産指示用のコンピュータプログラムは、ＣＤやＤＶＤ、あるいは磁気ディスクなどの各種の記録媒体に記録して提供することが可能である。
【００３６】
また本実施形態においては、図２に示すように住宅盤の生産に関わる担当部門、例えば、顧客からの注文を受ける営業部門、設計を担当する設計部門、部品の購入を担当する購買部門、部品の組立を担当する製造部門などに、上記システムをクライアントコンピュータＣＣ１，ＣＣ２，ＣＣ３，…としてそれぞれ設置し、各クライアントコンピュータＣＣｎ（ｎ＝１，２，…）とＮＩＣを介して通信ケーブル１２により接続されてネットワークを構成するサーバコンピュータＳＣを設置している。このネットワークは、例えば１００ＢＡＳＥ−ＴＸのような汎用のＬＡＮで構築されており、サーバコンピュータＳＣ並びにクライアントコンピュータＣＣｎにはＴＣＰ／ＩＰやＳＭＴＰをサポートするオペレーティングシステム（マイクロソフト社のウィンドウズ（Ｒ）など）が搭載され、サーバコンピュータＳＣとクライアントコンピュータＣＣｎ並びにクライアントコンピュータＣＣｎ同士でデータ伝送が可能であるとともに、サーバコンピュータＳＣを介して各クライアントコンピュータＣＣｎ同士が電子メールをやり取りすることも可能である。
【００３７】
さらに、クライアントコンピュータＣＣｎには操作履歴を保存する機能を有した汎用のＣＡＤシステムが搭載されており、このＣＡＤシステムを利用して各クライアントコンピュータＣＣｎにて標準品種図面に変更を加えて特注品種図面を作成することができる。なお、カタログなどに記載されている標準品種の図面データはサーバコンピュータＳＣにおける標準品種図面データマスタ（図示せず）で一元的に管理され、クライアントコンピュータＣＣｎで作成された特注品種の図面データはサーバコンピュータＳＣにおける特注品種図面データマスタ（図示せず）で一元的に管理されている。したがって、顧客の注文に応じて特注品種図面を作成する場合、各クライアントコンピュータＣＣｎにてサーバコンピュータＳＣの標準品種図面データマスタから所望の標準品種図面データをダウンロードし、担当者がＣＡＤシステムにより特注品種図面を作成し、作成した特注品種図面データをサーバコンピュータＳＣの特注品種図面データマスタにアップロードする。ここで、クライアントコンピュータＣＣｎに搭載されているＣＡＤシステムは、標準品種図面から特注品種図面を作成する際に作業者が行った操作、例えば、ある部品を他の部品と置き換える操作や新たな部品を追加する操作などの操作履歴（変更履歴データ）をファイルとしてハードディスク装置などに記録している。
【００３８】
ここで、変更履歴データとしてファイルに残される内容は、部品（主幹ブレーカ２や分岐ブレーカ３ｎなど）の交換、部品の追加、文字列の追加、色の変更、部品変更可否の問い合わせの要否、同一部品の変更数、変更理由などである。図３は変更履歴データファイルの内容を一覧にした表を示し、ＣＡＤシステムにおいて操作が行われた順（第１列の「処理順番号」）、操作が行われた年月日（第２列の「年月日」）、操作が行われた時分秒（第３列の「時分秒」）、操作が行われたクライアントコンピュータＣＣｎの名前（第４列の「端末名」）、操作者名（第５列の「ユーザ名」）、元になった標準品種図面のファイル名（第６列の「標準品種図面ファイル名」）、作成される特注品種図面のファイル名並びに操作履歴が格納されるファイル名（第７列の「変更履歴ファイル名および特注品種図面ファイル名」）、操作に用いられたキーボードやポインティングデバイス（マウスなど）のような操作機器（第８列の「操作機器」）、操作の内容（第９列の「操作内容」）、操作対象の図面上の位置（第１０列の「座標Ｘ」及び第１１列の「座標Ｙ」）、ＣＡＤシステムが行った処理内容（第１２列の「コンピュータ処理内容」）、ＣＡＤシステムが行った処理方法（第１３列の「コンピュータ処理方法」）、並びにその他の注意点などを含む備考（第１４列の「備考」）、の各項目が設けられている。さらに図４〜図１０は、図３の表から上記各内容に対応した範囲Ｄ１〜Ｄ７毎に主要な項目（第１列の「処理順番号」、第７列の「変更履歴ファイル名および特注品種図面ファイル名」、第１０列の「座標Ｘ」及び第１１列の「座標Ｙ」、第１２列の「コンピュータ処理内容」）だけを抜き出した表を示している。
【００３９】
次に、図１に示した特注品種図面をＣＡＤシステムで作成する際の変更履歴データの内容について図３〜図１０を参照して説明する。
【００４０】
特注品種図面を作成しようとする作業者は、特注品種の元となる標準品種の図面データ（例えば、ファイル名「STD12345」の標準品種図面ファイル）をサーバコンピュータＳＣの標準品種図面データマスタから何れかのクライアントコンピュータＣＣｎのハードディスク装置にダウンロードし、当該クライアントコンピュータＣＣｎでＣＡＤシステムを立ち上げてダウンロードした標準品種図面ファイルを開き、ディスプレイ装置の画面に標準品種図面を表示させる。
【００４１】
作業者は、まず始めに主幹ブレーカ２を標準品種Ｍ１から特注品種Ｍ２に交換するために、マウスなどのポインティングデバイスで主幹ブレーカ２を表す長方形の内側をクリックして主幹ブレーカ２を選択し、さらに長方形内に挿入されている「Ｍ１」の文字列を削除するとともに、キーボードにより「Ｍ２」の文字列を入力する。すると、ＣＡＤシステムでは当該長方形の図形の登録名称を「主幹ブレーカＭ１」から「主幹ブレーカＭ２」に変更し、変更後の図面データを特注品種の図面データ（例えば、ファイル名「SPC12345-000055」の特注品種図面ファイル）としてハードディスク装置に書き込むとともに、上記一連の操作履歴（図３及び図４に示した処理順番号１００〜１０９の各行における上記各項目の内容）を操作履歴のデータ（例えば、ファイル名「SPC12345-000055」の変更履歴ファイル）としてハードディスク装置に書き込む。なお、特注品種図面ファイルと変更履歴ファイルとはデータの内容が異なるために図示しない拡張子が異なっているので、これら２つのファイルは拡張子によって識別可能である。
【００４２】
続いて、作業者は分岐ブレーカ３を追加するために、ポインティングデバイスで分岐ブレーカ３を表す長方形の内側をクリックして選択するとともに当該図形（長方形）をコピーし、さらに分岐ブレーカ３を追加する位置をクリックして選択した後に、その位置にコピーした図形（長方形）を貼り付ける。すると、ＣＡＤシステムでは貼り付けられた図形の登録名称をコピー元と同じ登録名称「分岐ブレーカＢ１」とし、ファイル名「SPC12345-000056」の特注品種図面ファイルを変更後の図面データで書き換えてハードディスク装置に書き込むとともに、上記一連の操作履歴（図３及び図５に示した処理順番号２００〜２１１の各行における上記各項目の内容）を操作履歴のデータ（例えば、ファイル名「SPC12345-000056」の変更履歴ファイル）としてハードディスク装置に書き込む。
【００４３】
その次に作業者は、追加した部品（分岐ブレーカ３）を表す図形（長方形）の近傍を指定してテキストボックスを開き、そのテキストボックスにキーボードから文字列「部品追加Ｂ１」を入力する。すると、ＣＡＤシステムでは入力された文字列をディスプレイの画面に表示し、ファイル名「SPC12345-000057」の特注品種図面ファイルを変更後の図面データで書き換えてハードディスク装置に書き込むとともに、上記一連の操作履歴（図３及び図６に示した処理順番号３００〜３０４の各行における上記各項目の内容）を操作履歴のデータ（例えば、ファイル名「SPC12345-000057」の変更履歴ファイル）としてハードディスク装置に書き込む。このとき、上記テキストボックス内で「部品追加Ｂ１」の文字列の後にＣＲコード（改行）を入力して別の文字列（例えば、「要注意」）をさらに入力したり、文字列「部品追加Ｂ１」を縦書き指定することも可能であり、何れの操作についても操作履歴として変更履歴ファイルに含まれる（図３及び図６参照）。
【００４４】
また、主幹ブレーカ２の色を「白色」から「黒色」に変更する場合、作業者はマウスなどのポインティングデバイスで主幹ブレーカ２を表す長方形の内側をクリックして主幹ブレーカ２を選択し、長方形内に挿入されている「白色」の文字列を削除するとともに、キーボードにより「黒色」の文字列を入力する。すると、ＣＡＤシステムでは当該長方形の図形の登録名称を「主幹ブレーカＭ１（白色）」から「主幹ブレーカＭ２（黒色）」に変更し、変更後の図面データをファイル名「SPC12345-000058」の特注品種図面ファイルとしてハードディスク装置に書き込むとともに、上記一連の操作履歴（図３及び図７に示した処理順番号４００〜４０９の各行における上記各項目の内容）を操作履歴のデータ（例えば、ファイル名「SPC12345-000058」の変更履歴ファイル）としてハードディスク装置に書き込む。
【００４５】
ところで、部品（例えば、主幹ブレーカ２）を交換する場合、その部品交換が可能か否かについて各担当部門に対し問い合わせが必要になることがある。例えば、主幹ブレーカ２を標準品種Ｍ１から特注品種Ｍ２に交換する際に上記問い合わせが必要であるとすると、作業者はポインティングデバイスで主幹ブレーカ２を表す長方形を選択して挿入されている「Ｍ１」の文字列を削除するとともに、キーボードにより問い合わせが必要であることを示す文字「？」を含む文字列「？Ｍ２」を入力する。すると、ＣＡＤシステムでは当該長方形の図形の登録名称を「主幹ブレーカＭ１」から「主幹ブレーカ？Ｍ２」に変更し、変更後の図面データをファイル名「SPC12345-000059」の特注品種図面ファイルとしてハードディスク装置に書き込むとともに、上記一連の操作履歴（図３及び図８に示した処理順番号５００〜５０９の各行における上記各項目の内容）を操作履歴のデータ（例えば、ファイル名「SPC12345-000059」の変更履歴ファイル）としてハードディスク装置に書き込む。
【００４６】
また、追加された複数台（例えば、３台）の分岐ブレーカ３を標準品種Ｂ１から特注品種Ｂ２に変更する場合、作業者は、ポインティングデバイスで１台の分岐ブレーカ３を表す長方形の内側をクリックして選択し、さらにキーボードのシフトキーを押しながら同じくポインティングデバイスで残り２台の分岐ブレーカ３を表す長方形をクリックして選択した後、何れかの分岐ブレーカ３を表す長方形内に挿入されている「Ｂ１」の文字列を削除するとともに、キーボードにより「Ｂ２」の文字列を入力する。すると、ＣＡＤシステムでは選択状態にある３台の分岐ブレーカ３に対応した３つの長方形の図形の登録名称を「分岐ブレーカＢ１」から「分岐ブレーカＢ２」に変更し、変更後の図面データをファイル名「SPC12345-000060」の特注品種図面ファイルとしてハードディスク装置に書き込むとともに、上記一連の操作履歴（図３及び図９に示した処理順番号６００〜６２２の各行における上記各項目の内容）を操作履歴のデータ（例えば、ファイル名「SPC12345-000060」の変更履歴ファイル）としてハードディスク装置に書き込む。
【００４７】
さらに、作業者が交換した部品（主幹ブレーカ２）を表す図形（長方形）の近傍を指定してテキストボックスを開き、そのテキストボックスに交換の理由（例えば、「理由：Ｍ１容量追加のため」）を示す文字列をキーボードから入力すると、ＣＡＤシステムでは入力された文字列をディスプレイの画面に表示し、ファイル名「SPC12345-000061」の特注品種図面ファイルを変更後の図面データで書き換えてハードディスク装置に書き込むとともに、上記一連の操作履歴（図３及び図１０に示した処理順番号７００〜７０５の各行における上記各項目の内容）を操作履歴のデータ（例えば、ファイル名「SPC12345-000061」の変更履歴ファイル）としてハードディスク装置に書き込む。
【００４８】
ところで、特注品種図面の作成に当たって標準品種図面の部品を交換や追加する際に同時に何らかの部品等を変更しなければならない場合、例えば、分岐ブレーカ３を追加する際には必ず分岐配線６も追加する必要がある。そこで、このような仕様の変更に伴って必然的に生じる変更内容をサーバコンピュータＳＣにデータベース化しておき、ＣＡＤシステムにより図面の変更を行う際に上記データベースを参照して必然的に生じる変更内容の有無を判定し、その変更内容を自動的に特注品種図面データに反映するようにすれば、仕様変更に伴う部品等の交換や追加の抜けを防ぐことができる。なお、このようにしてＣＡＤシステムによって自動的に行われた変更も変更履歴ファイルに保存される。
【００４９】
上述のようにして標準品種図面から作成された特注品種図面データ（ファイル名「SPC12345-000055」〜「SPC12345-00061」の特注品種図面ファイル）がクライアントコンピュータＣＣからサーバコンピュータＳＣにアップロードされ、サーバコンピュータＳＣの特注品種図面データマスタに格納される。
【００５０】
次に、本発明の要旨である特注生産指示方法、そのシステムおよびプログラムについて、図１１のフローチャートを参照して説明する。ここで、本発明に係る特注生産指示システムを構成する、ＣＡＤシステムを搭載したコンピュータ、記憶装置、生産指示情報抽出装置、提示装置は全てクライアントコンピュータＣＣｎによって構成される。
【００５１】
まず、特注品種図面の作成が完了したクライアントコンピュータＣＣで本発明の特注生産指示プログラムを起動し、作成した特注品種図面の変更履歴データのファイル名（「SPC12345-000055」〜「SPC12345-000061」）を指定する（Ｓ１）。指定された変更履歴データの各ファイルは特注品種図面の作成時にハードディスク装置に保存されているから、そのファイルをハードディスク装置から作業メモリ内に読み出す。そして、作業メモリ内に読み出した変更履歴ファイルの変更履歴データに、登録済みの図形に対してその属性（例えば、登録名称など）を変更した操作履歴が有るか否かを調べ（Ｓ２）、例えば主幹ブレーカ２の品種を示す文字列を「Ｍ１」から「Ｍ２」に変更した操作履歴（図４における処理順番号１０６，１０７の操作履歴）があれば、その属性変更の内容、つまり、主幹ブレーカ２を標準品種Ｍ１から特注品種Ｍ２に交換したことを特注生産指示情報ファイルに書き込む（Ｓ３）。さらに、ハードディスク装置に保存されている特注品種図面ファイルのファイル名「SPC12345-000055」の末尾に、属性の変更だけを意味するコード（例えば、「Ａ」の文字）と、変更箇所数とを付加し、そのファイル名を「SPC12345-000055-A2」と書き換える（Ｓ４）。
【００５２】
次に、作業メモリ内に読み出した変更履歴ファイルの変更履歴データに、未登録の図形及びその属性を変更した操作履歴が有るか否かを調べ（Ｓ５）、例えば分岐ブレーカ３を表す図形とその属性（文字列「Ｂ１」）を追加した操作履歴（図５における処理順番号２０９，２１０の操作履歴）があれば、部品及びその属性追加の内容、つまり、標準品種の分岐ブレーカ３を追加したことを特注生産指示情報ファイルに書き込む（Ｓ６）。さらに、ハードディスク装置に保存されている特注品種図面ファイルのファイル名「SPC12345-000056」の末尾に、部品の追加を意味するコード（例えば、「Ｂ」の文字）と、追加箇所数とを付加し、そのファイル名を「SPC12345-000056-B1」と書き換える（Ｓ７）。このとき、特注品種図面ファイルのファイル名が「SPC12345-000055-A2」に書き換えられていれば、その末尾に追加して「SPC12345-000055-A2B1」とする。
【００５３】
さらに、作業メモリ内に読み出した変更履歴ファイルの変更履歴データに、未登録の文字列を追加したり、登録済みの文字列を変更した操作履歴が有るか否かを調べ（Ｓ８）、例えば、「部品追加Ｂ１」の文字列を追加した操作履歴（図６における処理順番号３０４の操作履歴）があれば、文字列追加の内容、つまり、「部品追加Ｂ１」の文字列を追加したことを特注生産指示情報ファイルに書き込む（Ｓ９）。このとき、上記文字列にＣＲコードを入力した操作履歴や、その文字列を縦書き指定した操作履歴が有れば、その旨の情報も一緒に特注生産指示情報ファイルに書き込む。さらに、ハードディスク装置に保存されている特注品種図面ファイルのファイル名「SPC12345-000057」の末尾に、文字列の追加を意味するコード（例えば、「Ｃ」の文字）と、追加箇所数とを付加し、そのファイル名を「SPC12345-000057-C3」と書き換える（Ｓ１０）。このとき、特注品種図面ファイルのファイル名が「SPC12345-000055-A2」や「SPC12345-000055-A2B1」に書き換えられていれば、その末尾に追加すればよい。
【００５４】
次に、追加された文字列の中に、サーバコンピュータＳＣが住宅盤に使用される標準品種の部品の名称等を管理している部品データマスタに登録されている文字列（部品名）と一致するものが有るか否かを検索し（Ｓ１１）、例えば、文字列「Ｂ１」が一致すれば、この文字列に対応する標準品種Ｂ１の分岐ブレーカ３が追加されたものと判断でき、標準品種Ｂ１の分岐ブレーカ３を追加したことを特注生産指示情報ファイルに書き込む（Ｓ１２）。
【００５５】
また、追加された文字列の中に特殊な記号が有るかを調べ（Ｓ１３）、例えば、記号「？」を含む「主幹ブレーカ？Ｍ２」の文字列を追加した操作履歴（図８における処理順番号５０７，５０８の操作履歴）があれば、記号「？」が意味する内容、つまり、主幹ブレーカ２を標準品種Ｍ１から特注品種Ｍ２に交換する際に問い合わせが必要であることを特注生産指示情報ファイルに書き込む（Ｓ１４）。さらに、追加された文字列の中に特殊な文字列が有るかを調べ（Ｓ１５）、例えば、特殊な文字列「理由」を含む「理由：Ｍ１容量追加のため」の文字列を追加した操作履歴（図１０における処理順番号７０４の操作履歴）があれば、変更理由、つまり、主幹ブレーカ２を標準品種Ｍ１から特注品種Ｍ２に交換した理由（容量追加）を特注生産指示情報ファイルに書き込み（Ｓ１６）、特注生産指示情報ファイルをハードディスク装置に保存する。
【００５６】
図１２は上述のようにして作成された特注生産指示情報ファイルの内容（特注生産指示情報）、図１３は特注生産指示情報ファイルのうちの特注品種の元となった標準品種図面データの内容、図１４は特注生産指示情報ファイルのうちの特注品種図面データにおける標準品種図面データに対する変更内容、をそれぞれ一覧形式で表示したものである。すなわち、図１２及び図１４に示した特注生産指示情報ファイルを参照すれば、標準品種から特注品種への追加あるいは変更点を容易に把握することができ、このような特注生産指示情報ファイルを購買部門や組立部門などの各担当部門に提示することにより、特注品種の生産に関する指示を簡単且つ確実に各担当部門に与えることが可能である。しかも、このような特注生産指示情報は、汎用のＣＡＤシステムが備えている操作履歴を残す機能を使って抽出できるから、専用のＣＡＤシステムを開発する手間やコストが不要である。ここで、特注生産指示情報ファイルの各担当部門への提示手段としては、サーバコンピュータＳＣを介して各担当部門に設置されているクライアントコンピュータＣＣに電子メールで送信すればよい。また、特注生産指示情報に基づき、標準品種から変更された部品だけの変更部品リストと、変更されていない部品を含めた全ての部品の全部品リストとを作成し、上記変更部品リストを提示して購買部門に標準品種と異なる特注品種の部品手配の準備を促すとともに、上記全部品リストを提示して組立部門に特注品種の組立に必要な部品の配膳（取り揃え）を促すようにすれば、個々の担当者毎に必要な情報を理解しやすい形で提供することができる。
【００５７】
また、本実施形態では生産指示情報に特注品種図面のファイル名を含んでおり、そのファイル名に部品の変更内容を示すコード（Ａ，Ｂ，Ｃなど）と特注品種であることを示すコード（ＳＰＣ）を付与しているため、特注品種の図面のファイル名（例えば、「SPC12345-000055-A2B1C1」など）から特注品種における変更内容の概略が把握できて生産作業でのミスが低減できるという利点がある。さらに、クライアントコンピュータＣＣのＣＡＤシステムにおいて、特注生産指示情報に含まれる標準品種からの変更点に基づいて特注品種の図面を再構成すれば、各担当部門で特注品種の図面をすぐに入手することができ、生産準備が早くできるとともに作業ミスも低減できる。
【００５８】
ところで、特注生産指示情報に含まれる変更点並びに変更内容を部品の組み立てに適した順序に並べれば、特注品種の生産における作業手順の設計に生産指示情報が利用できて設計作業の効率化と短縮化が図れる。そのために、作業手順の基本情報をサーバコンピュータＳＣに保持しておき、特注生産指示情報を抽出する際にサーバコンピュータＳＣからクライアントコンピュータＣＣに上記基本情報をダウンロードし、その基本情報を参照して並べ替えを行えばよい。また、特注品種が複数ある場合、これらの特注生産指示情報を各特注品種の納期順に並べて各担当部門に提示すれば、特注品種の生産における生産計画の立案に生産指示情報が利用できて立案作業の効率化と短縮化が図れる。なお、各特注品種の納期に関する情報をサーバコンピュータＳＣに保持しておき、特注生産指示情報を抽出する際にサーバコンピュータＳＣからクライアントコンピュータＣＣに納期情報をダウンロードし、その納期情報を参照して並べ替えを行えばよい。
【００５９】
ところで、サーバコンピュータＳＣに部品価格の情報を保持しておき、特注生産指示情報を抽出する際に交換又は追加した各部品の価格をサーバコンピュータＳＣからダウンロードして特注生産指示情報ファイルに含めるようにすれば、特注品種を発注した顧客に対して標準品種との価格差を前もって提示することができ、顧客満足度が向上する。また、顧客と仕様を確認する際に特注生産指示情報ファイルから変更点のみをピックアップして提示すれば、確認作業が簡単且つ確実に行えるという利点がある。さらに、特注生産指示情報から特注品種を構成する全ての構成機器の種類と台数を調べ、その構成機器内容をサーバコンピュータＳＣの標準品種図面データマスタで管理されている標準品種の構成機器内容と比較し、（１）全ての構成機器内容が一致する標準品種、（２）主幹ブレーカの種類だけが異なる標準品種、（３）分岐ブレーカの台数は一致し種類だけが異なる標準品種、（４）分岐ブレーカの台数が１台だけ多い又は少ない標準品種、（５）分岐ブレーカの台数が２台だけ多い又は少ない標準品種等の条件にあう標準品種を検索し、このような条件に一致する標準品種が見つかった場合にその標準品種を顧客に提示すれば、特注にしなくて済む方法を顧客に提案することができて顧客満足度が向上する。
【００６０】
ところで、複数件分の特注生産指示情報から特注品種への変更内容、例えば、主幹ブレーカや分岐ブレーカの交換回数、分岐ブレーカの追加回数などを集計し、どのような品種の主幹ブレーカや分岐ブレーカがどの程度の頻度で採用され、分岐ブレーカがどの程度の台数追加されたか、といった集計結果に基づいて特注品種への変更の傾向を把握することができ、注文の頻度が多い特注品種を標準品種に設定することで納期の短縮等により顧客満足度の向上が図れる。なお、標準品種から変更したことで顧客から苦情があった場合、その記録も当該特注品種図面データとともに残すようにして、同様の変更を行わないように注意を促すことが望ましい。
【図面の簡単な説明】
【００６１】
【図１】本発明の実施形態を説明する説明図である。
【図２】本発明に係る特注生産指示システムのシステム構成図である。
【図３】同上における変更履歴ファイルの内容を示す一覧表である。
【図４】同上における変更履歴ファイルの一部を示す一覧表である。
【図５】同上における変更履歴ファイルの一部を示す一覧表である。
【図６】同上における変更履歴ファイルの一部を示す一覧表である。
【図７】同上における変更履歴ファイルの一部を示す一覧表である。
【図８】同上における変更履歴ファイルの一部を示す一覧表である。
【図９】同上における変更履歴ファイルの一部を示す一覧表である。
【図１０】同上における変更履歴ファイルの一部を示す一覧表である。
【図１１】同上のフローチャートである。
【図１２】同上における特注生産指示情報ファイルの内容を示す一覧表である。
【図１３】同上における特注生産指示情報ファイルの一部を示す一覧表である。
【図１４】同上における特注生産指示情報ファイルの一部を示す一覧表である。
【符号の説明】
【００６２】
１  キャビネット
２  主幹ブレーカ
３1〜３14  分岐ブレーカ
Ａ  住宅盤
ＬＧ  変更履歴データ
Ｘ  特注生産指示情報
【図１】
2005309989.tif 000003
【図２】
2005309989.tif 000004
【図３】
2005309989.tif 000005
【図４】
2005309989.tif 000006
【図５】
2005309989.tif 000007
【図６】
2005309989.tif 000008
【図７】
2005309989.tif 000009
【図８】
2005309989.tif 000010
【図９】
2005309989.tif 000011
【図１０】
2005309989.tif 000012
【図１１】
2005309989.tif 000013
【図１２】
2005309989.tif 000014
【図１３】
2005309989.tif 000015
【図１４】
2005309989.tif 000016